(57)【要約】  本発明は、安全帽照明装置に係り、さらに詳しくは、前方注視のための照明を提供するだけではなく、リング状のフレームの全面から発光されて使用者の位置を知らせることができ、レーザーポインターが配備されて遠距離の物体を指示することのできる安全帽照明装置に関する。本発明による安全帽照明装置は、安全帽の外周面に装着されるようにリング状に形成されるフレームと、前記フレームの外側面に配備される複数の発光部と、電源を供給するバッテリーと、前記発光部の明るさ及び色合いを制御する制御部と、前記フレームが安全帽から脱去されることを防ぐための密着手段と、を備える。【選択図】図２
2021536117.tif 000002
【特許請求の範囲】
【請求項１】
安全帽の外周面に装着されるようにリング状に形成されるフレームと、
前記フレームの外側面に配備される複数の発光部と、
電源を供給するバッテリーと、
前記発光部の明るさ及び色合いを制御する制御部と、
前記フレームが安全帽から脱去されることを防ぐための密着手段と、
を備えることを特徴とする安全帽照明装置。
【請求項２】
前記密着手段は、前記フレームの内側に配備されて前記フレームを安全帽に装着するときに弾性的に歪まれる弾性部材であることを特徴とする請求項１に記載の安全帽照明装置。
【請求項３】
前記弾性部材には、安全帽に密着され、かつ、滑りが防止される素材の摩擦パッドが配備されることを特徴とする請求項２に記載の安全帽照明装置。
【請求項４】
前記フレームには、前記弾性部材が装着された状態で前記フレームの内側面に沿って移動可能なように案内溝が形成されることを特徴とする請求項２に記載の安全帽照明装置。
【請求項５】
前記バッテリーは、前記フレームとケーブルにより電気的に接続される携帯用バッテリーであることを特徴とする請求項１に記載の安全帽照明装置。
【請求項６】
前記バッテリーの残量が設定量未満である場合、前記フレームには、使用者に知らせるために発振するバイブレーターが配備されることを特徴とする請求項１に記載の安全帽照明装置。
【請求項７】
前記携帯用バッテリーの残量が設定量未満である場合、前記制御部は、前記発光部を点滅制御することを特徴とする請求項５に記載の安全帽照明装置。
【請求項８】
前記フレームには、使用者の動きを認識するモーションセンサーが配備され、前記モーションセンサーの感知結果に基づいて、設定時間以上に動きがないときに、前記制御部は前記発光部を消灯するように制御することを特徴とする請求項１に記載の安全帽照明装置。
【請求項９】
前記フレームには、第１のフレーム及び第２のフレームが折り畳み可能に配備されることを特徴とする請求項１に記載の安全帽照明装置。
【発明の詳細な説明】
【技術分野】
【０００１】
本発明は、安全帽照明装置に係り、さらに詳しくは、前方注視のための照明を提供するだけではなく、リング状のフレームの全面から発光されて使用者の位置を知らせることができ、レーザーポインターが配備されて遠距離の物体を指示することのできる安全帽照明装置に関する。
【背景技術】
【０００２】
建設現場や消防現場またはその他の産業体の作業場など常に危険に晒されている作業現場において勤めている勤労者は、身の回りの安全のために安全帽安全ヘルメット、保護帽の着用を義務付けられている。
【０００３】
また、安全帽は、野球、インラインスケート、サイクル、スケートなど運動競技のうち、選手の頭部を保護するために必ず着用するように規定されている種目が多数ある。一方、近年、前記安全帽は、前記勤労者や運動選手にのみ限定されるものではなく、野外活動などレジャー活動をする場合に欠かせない安全装備であって、その需要が高まりつつある。
【０００４】
上記のような安全帽は、人間の頭部を保護するためのものであって、重さや安全性などを考慮して極めてきめ細かい製作過程を経て量産されており、かつ、その機能もまたますます多様化され且つ向上して製作されている。
【０００５】
一方、夜間作業や活動のための発光装置が配備される場合がある。発光装置は、安全帽に結合されるものもあれば、着脱されるものもある。
【０００６】
しかしながら、従来の発光装置は、いずれにせよ、前方注視のための照明用にしか提供されておらず、使用者の位置を外部に知らせる役割を果たす力が足りないため、工事現場を通行する車両と衝突するといった安全事故が頻発している。
【０００７】
また、暗い空間において作業をしながら遠距離にある物体を指示するために、使用者は、レーザーポインターを別途に所持して使用している。この場合、レーザーポインターを別途に所持することも煩雑であるだけではなく、レーザーポインターを手に持っている場合、作業中のツールの使用など手の使用が不自由であるという不都合がある。
【発明の概要】
【発明が解決しようとする課題】
【０００８】
本発明は、上述した不都合を解決するために案出されたものであり、本発明の目的は、携帯用バッテリーを用いて発光部を発光させることができ、バッテリーの残量が足りない場合に発振させたり点滅させたりして警告することのできる安全帽照明装置を提供するところにある。
【０００９】
本発明の他の目的は、安全帽に装着される、安全帽の前面部だけではなく、周りの全体に発光部を備えた安全帽照明装置を提供するところにある。
【００１０】
本発明のさらに他の目的は、様々な大きさ及び形状の安全帽に安定的に装着して互換性の高い安全帽照明装置を提供するところにある。
【００１１】
本発明のさらに他の目的は、レーザーポインターを備えて遠距離にある物体を指示することのできる安全帽照明装置を提供するところにある。
【課題を解決するための手段】
【００１２】
上記の技術的課題を解消するために、本発明による安全帽照明装置は、安全帽の外周面に装着されるようにリング状に形成されるフレームと、前記フレームの外側面に配備される複数の発光部と、電源を供給するバッテリーと、前記発光部の明るさ及び色合いを制御する制御部と、前記フレームが安全帽から脱去されることを防ぐための密着手段と、を備える。
【００１３】
また、前記密着手段は、前記フレームの内側に配備されて前記フレームを安全帽に装着するときに弾性的に歪まれる弾性部材であることが好ましい。
【００１４】
さらに、前記弾性部材には、安全帽に密着され、かつ、滑りが防止される素材の摩擦パッドが配備されることが好ましい。
【００１５】
さらにまた、前記フレームには、前記弾性部材が装着された状態で前記フレームの内側面に沿って移動可能なように案内溝が形成されることが好ましい。
【００１６】
さらにまた、前記バッテリーは、前記フレームとケーブルにより電気的に接続される携帯用バッテリーであることが好ましい。
【００１７】
さらにまた、前記バッテリーの残量が設定量未満である場合、前記フレームには、使用者に知らせるために発振するバイブレーターが配備されることが好ましい。
【００１８】
さらにまた、前記携帯用バッテリーの残量が設定量未満である場合、前記制御部は、前記発光部を点滅制御することが好ましい。
【００１９】
さらにまた、前記フレームには、使用者の動きを認識するモーションセンサーが配備され、前記モーションセンサーの感知結果に基づいて、設定時間以上に動きがないときに、前記制御部は前記発光部を消灯するように制御することが好ましい。
【００２０】
さらにまた、前記フレームには、第１のフレーム及び第２のフレームが折り畳み可能に配備されることが好ましい。
【発明の効果】
【００２１】
本発明によれば、携帯用バッテリーを用いて発光部を発光させることができ、バッテリーの残量が足りない場合に発振させたり点滅させたりして警告することができるという効果がある。
【００２２】
また、安全帽の前面部だけではなく、周りの全体に発光部が配備されていることから、作業のための照明として活用することができるだけではなく、使用者の位置を他人に知らせて安全事故を防ぐことができるという効果がある。
【００２３】
さらに、場所と用途に応じて発光部の明るさと色合いを調節することができるという効果もある。
【００２４】
さらにまた、発光部の点滅制御を行うことも可能であることから、視認性をさらに向上させることができるという効果がある。
【００２５】
さらにまた、汎用または専用の携帯用バッテリーにつないで用いることができるという効果がある。
【００２６】
さらにまた、レーザーポインターが配備されて遠距離にある物体を指示することができ、レーザーポインターを別途に手に持っている必要がないので、ツールの使用など手の使用が自由であるという効果がある。
【００２７】
特に、様々な安全帽に安定的に装着することができるという効果がある。
【図面の簡単な説明】
【００２８】
【図１】本発明による実施形態の使用状態図である。
【図２】図１に示す実施形態の斜視図である。
【図３】図１に示す実施形態の要部を示すものである。
【図４】図１に示す実施形態の正面図である。
【図５】図１に示す実施形態の背面図である。
【図６】図１に示す実施形態を折り畳んだ状態を示すものである。
【発明を実施するための形態】
【００２９】
また、前記フレーム１０の上面には、周縁に沿って案内溝１１が形成されている。
【００３０】
特に、前記フレーム１０の中心を基準として向かい合う個所において折り畳み部１３が形成されていることが分かる。
【００３１】
さらに、前記フレーム１０の上面には、内側の周縁に沿って案内溝１１が長尺状に形成され、前記案内溝１１に装着されて移動可能な密着手段２０が複数配備される。この実施形態においては、左右に２つずつ合計で４個の密着手段２０が配備される。
【００３２】
この実施形態において、前記密着手段２０は、金属板材を折り曲げて形成される板ばね２１と、前記板ばね２１の終端を囲繞する摩擦パッド２２と、を備える（図３参照）。この実施形態において、前記摩擦パッド２１はシリコンから形成されるが、安全帽の素材としては、滑りが防止される多種多様な素材が適用可能である。
【００３３】
前記板ばね２１は、一方の端が前記案内溝１１に嵌着され、前記フレーム１０を安全帽に装着するときに弾性的に歪みながら密着される。
【００３４】
前記密着手段２０は、案内溝１１に沿って移動することができるので、摩擦パッド２２が安全帽に最も密着される位置に移動して安定的に設けることができる。
【００３５】
したがって、安全帽の様々な形状と大きさに対応することができて互換性が向上する。すなわち、案内溝１１に沿って密着手段２０を移動させながら板ばね２１が弾性的に最も多く歪まれる位置があるが、当該位置において摩擦パッド２２が安全帽に最も密着されて安定的に固定することができる。
【００３６】
この実施形態において、前記密着手段２０は板ばね２１から形成されるが、これとは異なり、弾性ゴムから形成することも可能である。この場合、弾性ゴムは、前記案内溝１１に装着されるホルダーに結合されて前記フレームの内側に配備されるものである。前記ホルダーもまた、前記板ばねのように、案内溝に沿って移動するように構成して弾性ゴムの位置を選択できるようにする。
【００３７】
図４は、本発明による実施形態の正面図であり、図５は、同背面図である。同図に示すように、フレーム１０の外周面には、全体に亘って一定の間隔をあけて発光部Ｌが配備される。この実施形態においては、発光ダイオード（ＬＥＤ）素子から構成される。したがって、発光部Ｌは、前面にのみ配備されるわけではなく、フレーム１０の外周面の全体にわたって帯状に配列される。したがって、発光部Ｌが発光すれば、使用者の前面だけではなく、側面や背面からも発光をするが、このように、使用者の側面や背面から発光することは、使用者の位置を外部に知らせるためである。すなわち、使用者の位置を外部に知らせて交通事故など安全事故を防ぐことができる。
【００３８】
また、フレーム１０の前面にはヘッドライト部３０が設けられるが、具体的に述べると、ヘッドライト部３０は、発光部Ｌを上下に３つずつ並べて側面や背面よりも明るく発光するようにしたものである。前記ヘッドライト部３０は、前方注視のために強い光を照射するためのものである。
【００３９】
前記発光部Ｌは、単色に形成してもよいが、ＲＧＢ（赤・緑・青）をいずれも含む色に形成してもよい。
【００４０】
さらに、フレーム１０の背面には制御部５０が配備されるが、前記制御部５０は、多色の発光ダイオード（ＬＥＤ）素子のカラーを制御することができる。
【００４１】
のみならず、発光部Ｌの点滅間隔を制御することもでき、明るさを制御するディミング制御を行うこともできる。
【００４２】
特に、本発明によれば、前記ヘッドライト部３０の中心にレーザーポインターＰがさらに配備される。前記レーザーポインターＰは、遠距離にある物体(位置を含む)を指示できるようにするためのものである。このように、ヘッドライト部３０とは別途に、レーザーポインターＰを備えると、使用者が別途にレーザーポインターを所持する必要がなく、特に、使用者が手を使わなくても遠距離にある物体を指示することができるので、手の使用が自由である。
【００４３】
さらにまた、前記制御部５０の底部には、電源が供給されるポート（図示せず）が形成されている。この実施形態においては、スマートフォンなどの充電のために汎用されている携帯用バッテリーＢをつないだ状態を開示している。
【００４４】
このように、本発明は、携帯用バッテリーＢをケーブルでつないで用いることができるので、バッテリーを充電しやすい。前記携帯用バッテリーＢには、バッテリーの残量を表示するインジケーターが配備される。インジケーターＩｎは、バッテリーの一方の面に配備された発光体であって、４段階で表示される。
【００４５】
前記バッテリーとしては、スマートフォンなどを充電するために広く用いられる汎用の補助バッテリーを用いてもよく、本発明にのみ使用できるように構成された専用バッテリーを用いてもよい。
【００４６】
また、前記制御部５０には電源ボタン１２が配備されて発光部Ｌをオン／オフにすることができる。
【００４７】
さらに、前記フレーム１０を安全帽１００に装着した後、任意に脱去されることを防ぐために、密着手段４０が配備されたことが分かる。すなわち、フレーム１０を安全帽１００に装着した後、固定手段４０を用いて安全帽に安定的に結合する。
【００４８】
図６は、本発明による実施形態を折り畳んだ状態を示すものである。上述したように、フレーム１０は、向かい合う個所に折り畳み部１３が形成されており、ヒンジ部Ｈを中心として上下に折り畳み可能である。したがって、携帯及び保管を行いやすい。
【００４９】
図１に基づいて、本発明による実施形態の作動状態について説明する。
【００５０】
本発明による実施形態１を安全帽１００に装着した後、フレーム１０に一方の端が連結された固定手段４０を安全帽１００の終端の内側に引っ掛けて固定する。
【００５１】
この状態で電源ボタン１２を押下して発光部Ｌを発光させる。前面に配備されるヘッドライト部３０から発せられる強い光を用いて作業や各種の活動を行うことができる。
【００５２】
また、側面や背面に配備されている発光部Ｌからの発光を通じて外部に使用者の位置を知らせて安全事故を防ぐことが可能になる。
【００５３】
さらに、遠距離にある物体を指示する必要がある場合、レーザーポインターＰを用いる。
【００５４】
さらにまた、ディミング制御部や点滅部を用いて明るさ及び点滅を制御してもよい。特に、点滅を制御することで、外部に使用者の位置を知らせる視認性が向上する。
【００５５】
さらにまた、制御部５０を用いて色合いを制御してもよい。例えば、平常時には白色光を発光し、危険な状況では赤色光を発光する。
【００５６】
さらにまた、本発明は、携帯用バッテリーＢの残量が設定量以下である場合には、 
発振する振動モーター（図示せず）をさらに備える。
【００５７】
前記振動モーターは、制御部５０の内部に配備されることが好ましい。したがって、バッテリーの残量が足りない場合、使用者は、バイブレーターの作動による振動を認知してバッテリーを充電する機会を得る。
【００５８】
また、前記制御部は、バッテリーＢの残量が足りない場合、発光部Ｌを点滅させる。しかしながら、先行する点滅制御よりもバッテリーの残量不足による点滅制御の方の点滅速度をさらに高めて緊迫さを表示してもよい。
【００５９】
さらに、前記フレーム１０には、使用者の動きを認識するモーションセンサー（図示せず）が配備される。したがって、前記モーションセンサーの感知結果に基づいて、一定の時間の間に動きが感知されなければ、バッテリーの消耗を極力抑えるために、前記制御部は、前記発光部Ｌを消灯するように制御する。
【００６０】
以上、本発明による様々な実施形態の構成及び作動について説明したが、本発明は、これに何ら限定されるものではなく、特許請求の範囲に表現されている様々な発明を含むとうことはいうまでもない。
【産業上の利用可能性】
【００６１】
本発明によれば、携帯用バッテリーを用いて発光部を発光させることができ、バッテリーの残量が足りない場合に発振させたり点滅させたりして警告することができるという効果がある。
【図１】
2021536117.tif 000003
【図２】
2021536117.tif 000004
【図３】
2021536117.tif 000005
【図４】
2021536117.tif 000006
【図５】
2021536117.tif 000007
【図６】
2021536117.tif 000008
【国際調査報告】
2021536117.tif 000009
2021536117.tif 000010
2021536117.tif 000011
2021536117.tif 000012